(57)【特許請求の範囲】
【請求項１】
偏平な形状を成す膨張可能な膨張袋を少なくとも長手方向の一部に備え、血圧測定に際して生体の一部を圧迫するためにその生体の一部の外周に円筒状に巻回された状態で該膨張袋内に圧力気体が供給される形式の血圧測定用圧迫帯において、
前記膨張袋を構成するシート部材の相対向する１対の内壁面に、複数箇所において相互に点接触させるための複数の凸部が設けられ、
前記複数の凸部は、前記１対の内壁面のうちの一方と他方とにおいて所定間隔で互いに平行に位置し、該１対の内壁面の対向状態では互いに交差する方向に設けられた複数本の凸条である、血圧測定用圧迫帯。
【発明の詳細な説明】
【０００１】
【産業上の利用分野】
本発明は、血圧測定に際して生体の一部を圧迫するために円筒状に巻回される血圧測定用圧迫帯に関するものである。
【０００２】
【従来の技術】
偏平な形状を成す膨張可能な膨張袋を少なくとも長手方向の一部に備え、血圧測定に際して生体の一部を圧迫するためにその生体の一部の外周に円筒状に巻回された状態で該膨張袋内に圧力気体が供給される形式の血圧測定用圧迫帯が知られている。このような圧迫帯では、たとえば２つ折りに構成された合成樹脂繊維から成る布製の帯状基体内に比較的薄い軟質合成樹脂シート或いはゴムシートから成る偏平な膨張袋が収容されることにより構成されるか、或いは２つ折りに構成された軟質合成樹脂シート製の帯状基体内の一部に高周波溶着によって気密且つ偏平な膨張袋が一体的に設けられることにより構成される。そして、上記血圧測定用圧迫帯の膨張袋は、たとえば病棟において患者を監視するため或いは外来患者の血圧を測定するための血圧測定装置に可撓性ホースを介して接続される。血圧測定に際しては、たとえば生体の上腕に巻回された状態で膨張袋に接続された可撓性ホースを介して圧力気体が供給され、その生体の上腕が圧迫帯により圧迫される。
【０００３】
【発明が解決しようとする課題】
ところで、上記のような血圧測定用圧迫帯は、その使用までの間の保管において、折り畳まれたり或いは重ねられたりして、膨張袋を構成するシート部材の対向面に圧力が付加された状態で膨張袋を構成するシート部材の相対向する１対の内壁面が互いに密着した状態で長期間放置される場合が多い。しかしながら、膨張袋を構成する比較的薄いシート部材に、塩化ビニールシート、ゴムシートなどの軟質の合成樹脂シートが用いられることが多いことから、比較的長期の保管中に上記１対の内壁面が相互に接着することに起因して、使用開始時において膨張袋が正常に膨張せず、血圧測定を行なうことができない場合があった。
【０００４】
これに対し、接着防止のための無機或いは金属酸化物の粉体を膨張袋内に散在させることが考えられる。しかしながら、このような場合は、膨張袋内の圧力を変化させたり膨張袋内の気体の排気を制御する制御弁の作動が損なわれるおそれがあるので、圧迫帯に適用することは不可能である。
【０００５】
本発明は以上の事情を背景として為されたものであって、その目的とするところは、長期に保管されたとしても、膨張袋を構成するシート部材の１対の内壁面が相互に接着しない血圧測定用圧迫帯を提供することにある。
【０００６】
【課題を解決するための手段】
上記目的を達成するための本発明の要旨とするところは、偏平な形状を成す膨張可能な膨張袋を少なくとも長手方向の一部に備え、血圧測定に際して生体の一部を圧迫するためにその生体の一部の外周に円筒状に巻回された状態でその膨張袋内に圧力気体が供給される形式の血圧測定用圧迫帯において、前記膨張袋を構成するシート部材の相対向する１対の内壁面に、複数箇所において相互に点接触させるための複数の凸部を設け、複数の凸部を、１対の内壁面のうちの一方と他方とにおいて所定間隔で互いに平行に位置させ、その１対の内壁面の対向状態では互に交差する方向に設けられた複数本の凸条とすることにある。
【０００７】
【発明の効果】
このようにすれば、膨張袋を構成するシート部材の相対向する１対の内壁面には、それら１対の内壁面の複数箇所において相互に点接触させるための複数の凸部が設けられているので、シート部材が塩化ビニールシートやゴムシートなどの軟質シートから構成されていたとしても、相互の接着が実質的に防止される。このため、圧迫帯の使用開始時において膨張袋は好適に膨張し、血圧測定に支障が生じない利点がある。
また、互いに交差する複数本の凸条は、膨張袋が組み立てられて相対向する状態となったときには互いに点接触するので、膨張袋を構成するシート部材の相対向する１対の内壁面の相互の接着が実質的に防止される。
【００１０】
【発明の好適な実施の形態】
以下、本発明の一実施例を図面に基づいて詳細に説明する。
【００１１】
図１は、本発明の一実施例の圧迫帯１０を備えた血圧測定装置１２の構成を示している。図において、圧迫帯１０の膨張袋１４には、圧力センサ１６および排気制御弁１８が接続されているとともに、切換弁２０を介して空気ポンプ２２が接続されている。上記圧力センサ１６は、膨張袋１４内の圧力を検出し、その圧力を表す圧力信号ＳＰを出力する。上記排気制御弁１８は、圧迫圧制御手段として機能するものであって、その流通断面積を制御することにより膨張袋１４内の空気を徐速排気或いは急速排気させるものである。上記切換弁２０は、袋部収縮手段として機能するために圧迫側位置と吸引側位置とに切り換えられる電磁式切換弁であって、その圧迫側位置では圧迫帯１０の膨張袋１４を空気ポンプ２２の吐出口に連通させ且つ空気ポンプ２２の吸入口を大気に連通させるが、吸引側位置では圧迫帯１０の膨張袋１４を空気ポンプ２２の吸入口に連通させ且つ空気ポンプ２２の吐出口を大気に連通させる。
【００１２】
ローパスフィルタ２４は、圧力センサ１６から出力される圧力信号ＳＰのうち、圧迫帯１０の圧迫圧を表すカフ圧信号ＳＫを弁別して出力し、Ａ／Ｄ変換器２６を介してＣＰＵ３０へ供給する。また、バンドパスフィルタ２８は、圧力センサ１６から出力される圧力信号ＳＰのうち、心拍に同期して発生する圧力振動である脈波信号ＳＭを弁別して出力し、Ａ／Ｄ変換器２６を介してＣＰＵ３０へ供給する。
【００１３】
上記ＣＰＵ３０は、ＲＯＭ３２、ＲＡＭ３４、インターフェース３６などと共にマイクロコンピュータ、すなわち血圧値決定手段として機能する演算制御回路３７を構成するものであって、ＲＡＭ３４の記憶機能を利用しつつ予めＲＯＭ３２に記憶されたプログラムに従って入力信号を処理し、表示器３８に血圧値を表示させるとともに、前記排気制御弁１８、切換弁２０、および空気ポンプ２２を制御する。上記ＣＰＵ３０には、起動押釦スイッチ４０からの起動信号ＭＳ、停止押釦スイッチ４２からの停止信号ＭＴ、起動信号発生器４４からの起動信号ＣＳが供給されるようになっており、起動押釦スイッチ４０および起動信号発生器４４は、マニアル／オート切換スイッチ４６によって択一的に有効化されるようになっている。起動信号発生器４４は、たとえばよく知られたフリップフロップ回路などを備えており、図示しない設定器によって数分乃至数十分程度の予め設定された周期にしたがって起動信号ＣＳを繰り返し発生するように構成されている。
【００１４】
上記ＣＰＵ３０は、血圧測定の起動信号ＣＳが供給されると、通常の血圧測定手順にしたがって、直ちに圧迫帯１０の膨張袋１４を急速昇圧させるために圧力気体をその膨張袋１４に供給し、その膨張袋１４内の圧力が予め最高血圧値よりも十分に高く設定された目標昇圧値に到達すると、膨張袋１４内の圧力上昇を停止させ、且つ膨張袋１４内の圧力気体を徐々に排気させることにより略一定の速度で緩やかに降圧させる。ＣＰＵ３０は、この緩やかに降圧させられる期間において、所謂オシロメトリック法により血圧値を決定し表示器３８に表示させる。すなわち、膨張袋１４内の圧力振動である脈波振幅をバンドパスフィルタ２８を通して検出し、その脈波振幅の変化が急激に変化したときに膨張袋１４の圧力を最高血圧値および最低血圧値として決定し表示させる。また、上記ＣＰＵ３０は、圧迫帯１０の膨張袋１４を急速昇圧させるために圧力気体をその膨張袋１４に供給する期間において、圧力センサ１６により検出される圧力上昇速度が予め設定された判断基準値を越える異常であるか否かを判定し、異常であると判定された場合には、直ちに空気ポンプ２２を停止させるとともに、ホース６０の折曲がりなどを示唆するエラー表示を出力する。
【００１５】
図２は、圧迫帯１０を平面に展開した状態における外周面を示す図、図３は、圧迫帯１０を平面に展開した状態における内周面を示す図である。それら図２および図３に示すように、本実施例の圧迫帯１０は、軟質塩化ビニル層などにより裏打ちされた合成繊維で編まれた織布、合成樹脂シートたとえば軟質塩化ビニルシート、ナイロンシートなどの可撓性を備えた帯状の外周側シート部材５０に、同様の形状の内周側シート部材５２がそれらの外周縁部において接着剤、或いは高周波溶着などの手法によって接合されることにより長手状且つ袋状に構成されている。
【００１６】
上記圧迫帯１０の長手方向の一端部内には、その圧迫帯１０の略半分の長さの気密な矩形状の偏平な膨張袋１４が設けられており、その膨張袋１４は上記外周側シート部材５０および内周側シート部材５２から構成されている。また、上記膨張袋１４には、塩化ビニール、天然或いは合成のゴムなどの弾性部材製のホース６０が、その先端が突き入れられた状態で、接着、熱圧着などにより一体的に接続されている。そして、圧迫帯１０の外周面の膨張袋１４側の端部と、圧迫帯１０の内周面の膨張袋１４とは反対側の端部とには、表面に植設された多数のループ状繊維とそれに係合するように表面に植設された弾性変形可能な合成樹脂製の多数の鉤状突起との係合によって着脱可能に接着する形式の一対のファスナ５４および５６がそれぞれ固設されている。これら一対のファスナ５４および５６が相互に接着されることにより、生体の上腕において膨張袋１４側の端部の外側に膨張袋１４とは反対側の端部が重ねられるように圧迫帯１０が円筒状に巻回される。
【００１７】
上記膨張袋１４を構成する外周側シート部材５０および内周側シート部材５２の１対の相対向する内壁面６２および６４には、それら内壁面６２および６４の複数箇所において相互に点接触させるための複数の凸部として機能する凸条６６がそれぞれ設けられている。その凸条６６は、上記１対の内壁面６２および６４のうちの一方と他方とにおいて所定間隔で互いに平行に位置し、且つそれら１対の内壁面６２および６４の対向状態では互に交差する方向たとえば略直角となるように１対の内壁面６２および６４にそれぞれ設けられている。内壁面６２に設けられた凸条６６と内壁面６４に設けられた凸条６６とは、それらの交差点において点接触するものである。
【００１８】
上記膨張袋１４は、たとえば図５に示す凸条６６を全面に有するシート部材が点線に示す折曲げ線６８に沿って折り曲げられ、その折曲げ線６８以外の周縁部が熱圧着或いは超音波圧着によって溶着されることにより、好適に構成される。上記シート部材は、たとえば、その製造工程において上記凸条６６に対応する斜め溝を有するローラを通すことにより製造される。
【００１９】
上述のように、本実施例の圧迫帯１０によれば、その膨張袋１４を構成する１対の外周側シート部材５０および内周側シート部材５２の相対向する内壁面６２および６４に、互いに交差する複数本の凸条６６がそれぞれ平行に設けられて、その凸条６６が相互に点接触するので、たとえ長期間保管されていたとしても、外周側シート部材５０および内周側シート部材５２の相互の接着が実質的に防止される。このため、圧迫帯１０の使用開始時において膨張袋１４は好適に膨張し、血圧測定に支障が生じない利点がある。
【００２０】
次に、本発明の他の実施例を説明する。なお、以下の説明において、前述の実施例と共通する部分には同一の符号を付して説明を省略する。
【００２１】
前述の実施例の圧迫帯１０において膨張袋１４を構成する１対の外周側シート部材５０および内周側シート部材５２の相対向する内壁面６２および６４には、複数本の凸条６６が互いに交差する方向に形成されていたが、その凸条６６に代えて、上記１対の外周側シート部材５０および内周側シート部材５２の相対向する内壁面６２および６４のうちの少なくとも一方から他方へ向かって所定高さだけ一体的に突き出された複数個の独立した突起が設けられてもよい。図６、図７、図８にそれぞれ示された例では、内周側シート部材５２の内壁面６４から外周側シート部材５０の内壁面６２に向かって、互いに独立した多数個の円柱状凸起７０、円錐状突起７２、半球状突起７４がそれぞれ一体的に突設されている。
【００２２】
上記図８の実施例において、半球状突起７４が形成された内周側シート部材５２の外壁面であって半球状突起７４の裏面には、凹穴７６がそれぞれ形成されている。この凹穴７６は、内周側シート部材５２に半球状突起７４を形成する１対の金型或いはローラにおいて、一方に半球状突起７４の形状に対応する凹穴を設け、他方に凹穴７６の形状に対応する半球状突起を設けることにより、半球状突起７４と同時に形成される。本実施例では、半球状突起７４の存在によって内周側シート部材５２の可撓性が損なわれことがなく、その可撓性が高められる。
【００２３】
以上、本発明の一実施例を図面に基づいて説明したが、本発明はその他の態様においても適用される。
【００２４】
たとえば、前述の実施例の膨張袋１４は、圧迫帯１０の長手方向の一部を構成していたが、２つ折りに構成された合成樹脂繊維製布状の帯状基体内の長手方向の一部にゴム製などの偏平な膨張袋が収容される形式の圧迫帯であっても差し支えない。
【００２５】
また、前述の実施例の圧迫帯１０において、その長手方向の一部に膨張袋１４が設けられていたが、長手方向の略全体に膨張袋１４が設けられても差し支えない。
【００２６】
また、前述の図６、図７、図８の実施例では、内周側シート部材５２の内壁面６４から外周側シート部材５０の内壁面６２に向かって、互いに独立した多数個の円柱状凸起７０、円錐状突起７２、半球状突起７４がそれぞれ一体的に突設されていたが、それら円柱状凸起７０、円錐状突起７２、半球状突起７４は外周側シート部材５０の内壁面６２から突設されていてもよいし、内壁面６２および６４の両方から突設されていてもよい。
【００２７】
また、前述の実施例の圧迫帯１０は、直線的に伸びる長手状であったが、全体として湾曲した長手状であっても差し支えない。
【００２８】
その他、一々列挙はしないが、本発明はその趣旨を逸脱しない範囲において種々変更が加えられ得るものである。
【図面の簡単な説明】
【図１】本発明の一例の圧迫帯を用いた血圧測定装置の構成を説明するブロック線図である。
【図２】図１の圧迫帯を平面に展開した状態における外周面を示す図である。
【図３】図１の圧迫帯を平面に展開した状態における内周面を示す図である。
【図４】図２および図３の圧迫帯の要部を説明するための、膨張袋の部分断面図である。
【図５】図４の膨張袋の構成を説明するためにその膨張袋を構成するシート部材を展開して示す部分斜視図である。
【図６】本発明の他の実施例の膨張袋の構成を示す部分断面図であって、図４に相当する図である。
【図７】本発明の他の実施例の膨張袋の構成を示す部分断面図であって、図４に相当する図である。
【図８】本発明の他の実施例の膨張袋の構成を示す部分断面図であって、図４に相当する図である。
【符号の説明】
１０：圧迫帯
１４：膨張袋
５０：外周側シート部材、５２：内周側シート部材（シート部材）
６２、６４：内壁面
６６：凸条（凸部）
７０：円柱状凸起（凸部）
７２：円錐状凸起（凸部）
７４：半球状凸起（凸部）
【図１】
0003899702.tif 000002
【図２】
0003899702.tif 000003
【図３】
0003899702.tif 000004
【図４】
0003899702.tif 000005
【図５】
0003899702.tif 000006
【図６】
0003899702.tif 000007
【図７】
0003899702.tif 000008
【図８】
0003899702.tif 000009